(57)【要約】  【課題】  表示パネルのケースへの出し入れを容易にする。表示パネルとケースとを少なくとも備えた表示装置の更なる薄型化、小型化、低コスト化を図る。  【解決手段】  表示パネルは、例えば、表示用液晶パネルと、視差バリア用基板と、スイッチング用液晶パネルとを積層して構成されている。表示用液晶パネルは、２枚のパネル基板４ａ・４ｂを、液晶層を介して貼り合わせて構成されている。スイッチング用液晶パネルは、２枚のパネル基板６ａ・６ｂを、液晶層を介して貼り合わせて構成されている。このうち、２枚のパネル基板４ｂ・６ａは、当該パネル基板４ｂ・６ａ間に所定の間隙が形成されるように、視差バリア用基板のパネル基板５ａを介して貼り合わされている。一方、表示パネルを収容するケース１１には、上記間隙に嵌合する嵌合部１２が形成されている。【選択図】      図１
2005077551.tif 000002
【特許請求の範囲】
【請求項１】
表示パネルと、当該表示パネルを収容するケースとを備えた表示装置において、
上記表示パネルは、所定の間隙を介して対向配置される２枚のパネル基板を含んで構成されており、
上記ケースには、上記間隙に嵌合する嵌合部が形成されていることを特徴とする表示装置。
【請求項２】
上記２枚のパネル基板は、他のパネル基板を介して対向配置されていることを特徴とする請求項１に記載の表示装置。
【請求項３】
上記２枚のパネル基板は、上記表示パネルの一側面に上記間隙が形成されるように対向配置されていることを特徴とする請求項１または２に記載の表示装置。
【請求項４】
上記表示パネルは、接着部材を介して上記ケースと固定されていることを特徴とする請求項１ないし３のいずれかに記載の表示装置。
【請求項５】
上記表示パネルは、当該表示パネルにおける上記間隙の形成側とは反対側で、上記接着部材を介して上記ケースと固定されていることを特徴とする請求項４に記載の表示装置。
【請求項６】
上記表示パネルは、
右目用画像を表示する第１の領域と、左目用画像を表示する第２の領域とを有する表示用液晶パネルと、
上記第１の領域に入射する光と、上記第２の領域に入射する光とを分離するための視差バリア用基板と、
表示モードに応じて上記視差バリア用基板に入射する光を制御することにより、上記視差バリア用基板における光の分離を制御するスイッチング用液晶パネルとを有して構成されており、
上記表示用液晶パネルを構成するパネル基板と、上記スイッチング用液晶パネルを構成するパネル基板とが、上記視差バリア用基板を介して対向配置されていることを特徴とする請求項１ないし５のいずれかに記載の表示装置。
【請求項７】
上記表示パネルは、対向する２枚のパネル基板をそれぞれ有する表示用液晶パネルおよびタッチパネルを有して構成されており、
上記表示用液晶パネルを構成する一方のパネル基板と、上記タッチパネルを構成する一方のパネル基板とが、他のパネル基板を介して対向配置されていることを特徴とする請求項１ないし５のいずれかに記載の表示装置。
【発明の詳細な説明】
【技術分野】
【０００１】
本発明は、例えば、平面画像と立体画像とで表示を切り替えることが可能な表示パネルやタッチパネル付き表示パネルのような、３枚以上のパネル基板を有する表示パネルと、その表示パネルを収容するケースとを備えた表示装置に関するものである。
【背景技術】
【０００２】
昨今、携帯性が望まれる機器として、携帯電話をはじめ数多くの情報端末機器が開発されている。そして、これらの情報端末機器では、表示装置として、液晶表示装置が使用されている。近年では、情報端末機器の薄型化、低コスト化、外部からの衝撃や振動に対する耐久性の向上等が望まれており、それに用いられる液晶表示装置にも、様々な工夫が強いられている。
【０００３】
例えば、特許文献１に記載の液晶表示装置では、液晶表示素子の周辺に駆動回路基板を実装し、これらの背面にバックライト光源を配置した液晶表示装置をケースに収納する際、ケース内の空間全体をクッション材で充填している。クッション材を用いることで、外部からの振動や衝撃による液晶表示素子の破損を容易に防止できる。したがって、当該破損を防止するための構成が複雑化することもなく、部品点数減少による液晶表示装置の低コスト化が図られている。
【０００４】
しかしながら、上記液晶表示装置では、クッション材を硬化させることにより、液晶表示素子、駆動回路基板およびバックライト光源をケース内に固定するため、構成部品の補修や分解が容易ではない。
【０００５】
そこで、例えば、特許文献２に記載の表示装置では、図７に示すように、表示パネルや駆動素子等を含む表示モジュール１０１をケース１０２に摺動収納可能としている。より具体的には、表示モジュール１０１の側面には、凸形状もしくは凹形状のガード部１０３が形成されている。また、ケース１０２の両側面の内側には、ガード部１０３の形状と合致するレール部１０４が形成されている。ガード部１０３とレール部１０４とを摺動させて表示モジュール１０１をケース１０２内に収納し、その後、ケース１０２に固定部１０５を嵌め込むことにより、表示モジュール１０１のケース１０２からの脱落が阻止される。このような構成により、堅牢で組み立てやすく、補修の際には容易に分解できる表示装置が実現されている。
【特許文献１】特開平５−８０３０６号公報（請求項１、段落〔００１６〕参照）
【特許文献２】特開平１１−２５９０１０号公報（請求項１参照）
【発明の開示】
【発明が解決しようとする課題】
【０００６】
しかしながら、特許文献２の表示装置の構成では、表示モジュール１０１をケース１０２に摺動収納した後、表示モジュール１０１の脱落を防止するための固定部１０５が必要であり、構成部材が増加してしまう。また、表示モジュール１０１の側面にガード部１０３を設けたり、ケース１０２の側面にレール部１０４を設ける必要があるため、これ以上、表示装置の外形を薄型化、小型化するのは困難であった。
【０００７】
本発明は、上記の問題点を解決するためになされたものであって、その目的は、表示パネルのケースへの出し入れが容易であり、かつ、更なる薄型化、小型化、低コスト化を図ることができる表示装置を提供することにある。
【課題を解決するための手段】
【０００８】
本発明の表示装置においては、表示パネルが有する２枚のパネル基板は、所定の間隙を介して対向配置されている。一方、表示パネルを収容するケースには、上記間隙に嵌合する嵌合部が形成されている。つまり、上記間隙は、嵌合部が嵌合可能な開空間となっている。
【０００９】
したがって、表示パネルの上記間隙にケースの嵌合部を嵌合させれば、表示パネルをケースに容易に収容、固定することができる。一方、例えば表示パネルを傾けて嵌合部の上記間隙への嵌合を解除すれば、ケース（例えばケース上面の開口部）から表示パネルを容易に取り出すことができる。このように、本発明によれば、ケースに対する表示パネルの出し入れを容易にすることができ、その補修や分解も容易に行うことができる。
【００１０】
また、２枚のパネル基板間に形成される上記間隙は、例えば１ｍｍ以下の微小間隔で形成可能であり、これに嵌合する嵌合部は、さらにそれ以下の厚さで形成可能である。したがって、表示パネルの側面やケースの内側に案内部材（レールやガイド）を設ける従来の構成に比べて、表示パネルとケースとを少なくとも備えた表示装置の更なる薄型化および小型化を図ることができる。
【００１１】
また、本発明は、嵌合部の上記間隙への嵌合により、表示パネルをケースに収容、固定する構成であり、レール等を用いて表示パネルをケースに摺動収納する構成ではない。よって、摺動により表示パネルがケースから脱落するのを防止するための固定部材を別途用意する必要がない。これにより、表示パネルのケースへの固定に関与する部品点数を減らして、装置の低コスト化を図ることができる。また、従来、摺動式で用いられていた案内部材や固定部材を不要とする分、表示パネルの表示領域を広げることもでき、更に狭額縁化を図ることができる。
【発明の効果】
【００１２】
本発明によれば、表示パネルの２枚のパネル基板間に間隙を形成し、上記間隙に嵌合する嵌合部をケースに設けることにより、ケースに対する表示パネルの出し入れを容易にすることができる。また、表示パネルのケースへの収容、固定に関与する部品点数を減らして、表示装置の薄型化、小型化、低コスト化および狭額縁化を図ることができる。
【発明を実施するための最良の形態】
【００１３】
本発明の実施の一形態について、図面に基づいて説明すれば、以下の通りである。
【００１４】
図２は、本実施形態の表示装置（液晶表示装置）の概略の構成を示す分解斜視図であり、図３は、上記表示装置の平面図である。本実施形態の表示装置は、表示モジュール１と、ケース１１とを有している。ケース１１には、後述するバックライト光源１４（図１（ａ）参照）が搭載されている。
【００１５】
表示モジュール１は、表示パネル２と、その駆動回路３とを含んでいる。ここで、図４は、表示パネル２の概略の構成を示す断面図である。表示パネル２は、本実施形態では、平面画像（２Ｄ）と立体画像（３Ｄ）とを切り替えて表示することが可能な液晶表示パネルで構成されている。
【００１６】
より具体的に説明すると、表示パネル２は、表示用液晶パネル４と、視差バリア用基板５と、スイッチング用液晶パネル６とがこの順で積層されて構成されている。表示用液晶パネル４と視差バリア用基板５、視差バリア用基板５とスイッチング用液晶パネル６とは、それぞれ接着剤７を介して互いに貼り合わされ、固定されている。
【００１７】
表示用液晶パネル４は、右目用画像を表示する第１の領域と、左目用画像を表示する第２の領域とを有する液晶パネルであり、ガラスからなる２枚のパネル基板４ａ・４ｂの間に液晶層を挟持してなっている。パネル基板４ａ・４ｂの外側には、偏光板８・８が形成されている。
【００１８】
視差バリア用基板５は、表示用液晶パネル４の第１の領域に入射する光と、第２の領域に入射する光とを分離するためのものであり、ガラスからなるパネル基板５ａの一方の表面に、そのような分離を行うための膜が形成されている。
【００１９】
スイッチング用液晶パネル６は、表示モード（２Ｄ／３Ｄ）に応じて視差バリア用基板５に入射する光を制御することにより、視差バリア用基板５における光の分離を制御するものであり、ガラスからなる２枚のパネル基板６ａ・６ｂの間に液晶層を挟持してなっている。パネル基板６ｂ（視差バリア用基板５とは反対側の基板）の外側には、偏光板９が形成されている。
【００２０】
この構成により、３Ｄ表示を行う場合は、スイッチング用液晶パネル６にて、液晶層の液晶の配列状態を変化させて、バックライト光源１４から視差バリア用基板５への光の入射を制御し、視差バリア用基板５によって、表示用液晶パネル４の第１の領域に入射する光と第２の領域に入射する光とを分離する。これにより、表示用液晶パネル４を観察する観察者の右目には、表示用液晶パネル４の第１の領域に表示された右目用画像の光だけが入射する。一方、観察者の左目には、表示用液晶パネル４の第２の領域に表示された左目用画像だけが入射する。その結果、観察者は、立体画像を観察することになる。
【００２１】
一方、２Ｄ表示を行う場合は、同じくスイッチング用液晶パネル６にて、液晶層の液晶の配列状態を変化させて、バックライト光源１４からの光を制御し、視差バリア用基板５に導く。視差バリア用基板５では、表示用液晶パネル４の第１の領域に入射する光と第２の領域に入射する光とが分離されず、観察者の左右の目には、表示用液晶パネル４に表示された同じ画像（右目用画像および左目用画像）の光がそれぞれ入射する。その結果、観察者は、平面画像を観察することになる。
【００２２】
つまり、表示パネル２においては、スイッチング用液晶パネル６の液晶層の配列状態を、表示モードに応じて変化させることにより、３Ｄ表示と２Ｄ表示とを切り替えることができる。
【００２３】
上記した表示パネル２において、本実施形態では、表示パネル２を構成する２枚のパネル基板（表示用液晶パネル４のパネル基板４ｂと、スイッチング用液晶パネル６のパネル基板６ａ）が、所定の間隙を介して対向配置されている。より具体的には、パネル基板４ｂ・６ａは、当該パネル基板４ｂ・６ａ間に所定の間隙が開空間となって形成されるように、他のパネル基板（視差バリア用基板５のパネル基板５ａ）を介して対向配置されている。上記間隙には、後述するケース１１の嵌合部１２（図２参照）が嵌合可能となっている。このような間隙が形成されるように各パネル基板４ａ・４ｂ・５ａ・６ａ・６ｂを貼り合わせて表示パネル２を構成した点に、本発明の最も大きな特徴がある。
【００２４】
ここで、表示パネル２の各パネル基板４ａ・４ｂ・５ａ・６ａ・６ｂの厚さは、例えば０．５ｍｍであり、接着剤７の厚さは、例えば０．１ｍｍであり、偏光板８・９の厚さは、例えば０．２ｍｍとなっている。したがって、２枚のパネル基板４ｂ・６ａ間の間隙は、０．５＋０．２＋０．１×２＝０．９ｍｍとなっている。
【００２５】
また、上記の間隙は、表示パネル２の一側面にのみ形成されるように、各パネル基板４ａ・４ｂ・５ａ・６ａ・６ｂが貼り合わされている。そして、表示パネル２において、上記間隙の形成側とは反対側の側面には、図２に示すように、ケース１１の後述する凹部１３に嵌る凸部１０が形成されている。これにより、表示パネル２のケース１１に収容する際の位置決めが適切になされ、例えば上下反対にならないように、表示パネル２をケース１１に適切に収容することが可能となっている。
【００２６】
次に、ケース１１について説明する。
【００２７】
図２に示したケース１１は、表示パネル２を収容するものであり、例えばＰＣ（ポリカーボネート）を成型して構成されている。また、後述するバックライト光源１４が発する光の反射効率を上げるため、ケース１１には、白色のＴｉＯ2等が練り込まれている。
【００２８】
ケース１１の上面には、表示パネル２を出し入れすることが可能な開口部が形成されている。そして、ケース１１の内側には、少なくとも１個の嵌合部１２が突出形成されており（本実施形態では３つの嵌合部１２が並設されており）、表示パネル２がケース１１に収容されたときに、嵌合部１２が表示パネル２の上記間隙に少なくとも１箇所で嵌合するようになっている。また、ケース１１において、嵌合部１２の形成側とは反対側には、表示パネル２の凸部１０が嵌合する凹部１３が形成されている。
【００２９】
ここで、図５は、表示パネル２（表示モジュール１）をケース１１に収容した図２の表示装置におけるＡ−Ａ’線矢視断面図である。また、図１（ａ）は、図５のＢ部の構成を詳細に示す断面図であり、図１（ｂ）は、図５のＣ部の構成を詳細に示す断面図である。ケース１１は、バックライト光源１４（照明装置）を有している。このバックライト光源１４は、ＬＥＤなどを光源に用いたレンズシート１４ａと、導光板１４ｂと、反射シート１４ｃを含んで構成されている。
【００３０】
上記の構成において、表示パネル２（表示モジュール１）をケース１１に収容するときは、図１（ａ）および図５に示すように、表示パネル２の上記間隙にケース１１の嵌合部１２を嵌合させることにより、表示パネル２をケース１１に収容、固定することができる。一方、表示パネル２をケース１１から取り出すときは、表示パネル２を傾けて嵌合部１２の上記間隙への嵌合を解除すれば、ケース１１の上面の開口部から表示パネル２を取り出すことができる。
【００３１】
このように、本実施形態の表示装置では、表示パネル２は、所定の間隙を介して対向配置される２枚のパネル基板４ｂ・６ａを含んで構成されており、ケース１１には、上記間隙に嵌合する嵌合部１２が形成されている。これにより、ケース１１の嵌合部１２を上記間隙に抜き差しするだけで、ケース１１に対して表示パネル２を固定したり、その固定を解除したりすることができる。つまり、表示パネル２をケース１１に対して容易に出し入れすることができる。
【００３２】
また、２枚のパネル基板４ｂ・６ａ間に形成される上記間隙は、例えば０．９ｍｍという微小間隔で形成されており、嵌合部１２もさらにそれ以下の厚さで形成される。したがって、表示パネル２の側面やケース１１の内側に案内部材（レールやガイド）を設ける従来の構成に比べて、表示装置の更なる薄型化および小型化を図ることができる。
【００３３】
つまり、本発明は、表示パネル２のケース１１への収容、固定を、従来のように別部材（レール等）を新たに設置することで実現するのではなく、パネル基板の積層構造を工夫することによって、そのような別部材を新たに設置することなく実現するものである。その結果、表示装置の更なる薄型化および小型化が可能となるのである。
【００３４】
また、本実施形態の表示装置は、従来のような摺動式ではなく、嵌め込み式で表示パネル２をケース１１に収納、固定するものである。つまり、摺動のための上記の案内部材や、摺動による表示パネル２のケース１１からの抜けを防止するための固定部材は不要である。その結果、そのような部材を不要とする分、表示パネル２の表示領域を広げることができ、更なる狭額縁化を図ることができる。また、上記の固定部材が不要なので、表示パネル２のケース１１への固定に関与する部品点数を摺動式の場合よりも確実に減らして、表示装置の低コスト化を図ることもできる。
【００３５】
また、本実施形態では、２枚のパネル基板４ｂ・６ａは、他のパネル基板５ａを介して、当該２枚のパネル基板４ｂ・６ａ間に所定の間隙が形成されるように対向配置されているので、間に挟まれる１枚のパネル基板５ａの厚さ分だけ、２枚のパネル基板４ｂ・６ａ間に確実に間隙を形成することができる。その結果、上述した本発明の効果をより確実なものとすることができる。
【００３６】
また、本実施形態では、表示パネル２の一側面に上記間隙が形成されるように、２枚のパネル基板４ｂ・６ａが対向配置されているので、ケース１１の上面の開口部を介しての、ケース１１に対する表示パネル２の出し入れを確実に行うことができる。
【００３７】
ところで、表示パネル２は、図１（ｂ）に示すように、接着部材１５を介してケース１１と固定されていてもよい。接着部材１５としては、例えば、アクリル系の無色透明の両面テープを用いることができる。例えば、厚さ０．１ｍｍ、幅１．２ｍｍ、長さ３５ｍｍの両面テープで接着部材１５を構成することが可能である。
【００３８】
本実施形態では、嵌合部１２の上記間隙への嵌合により、表示パネル２がケース１１内に収容、固定されるので、本来、接着部材１５は不要である。しかし、上記のように接着部材１５を用いて表示パネル２をケース１１に固定することで、表示パネル２のケース１１への固定をより確実なものとし、振動、衝撃等による表示パネル２のケース１１からの不用意な脱落を確実に防止することができる。
【００３９】
特に、同図（ｂ）に示すように、表示パネル２における上記間隙の形成側とは反対側で、接着部材１５を介して表示パネル２をケース１１に固定する構成とすれば、表示パネル２の一方の側面における嵌合部１２による固定と、表示パネルの上記側面と反対側の側面近傍における接着部材１５による固定とにより、表示パネル２をバランスよくケース１１に固定することができ、表示パネル２のケース１１からの不用意な脱落をより確実に防止することができる。
【００４０】
また、本実施形態では、表示パネル２は、表示用液晶パネル４と、視差バリア用基板５と、スイッチング用液晶パネル６とが積層されてなり、表示用液晶パネル４を構成するパネル基板４ｂと、スイッチング用液晶パネル６を構成するパネル基板６ａとは、当該パネル基板４ｂ・６ａ間に上記間隙が形成されるように、視差バリア用基板５ａを介して対向配置されている。これにより、表示パネル２が３Ｄ表示と２Ｄ表示とを切り替えることが可能なもので構成されている場合でも、表示パネル２のケース１１への収納、固定を容易に行うことができるなど、上述した本発明の効果を得ることができる。
【００４１】
ところで、ケース１１に収容可能な表示パネルは、上記した３Ｄ表示と２Ｄ表示との切り替えが可能な表示パネル２に限定されるわけではなく、例えば、図６に示すように、タッチパネル式の表示パネル２１であってもよい。
【００４２】
この表示パネル２１は、表示用液晶パネル２２上にタッチパネル２３を両面テープ２４で貼り付けた入力機能付き表示装置である。表示用液晶パネル２２は、ガラス基板である２枚のパネル基板２２ａ・２２ｂ間に液晶層を挟持してなるものである。また、タッチパネル２３は、透明な２枚のパネル基板２３ａ・２３ｂを所定の間隙を介して貼り合わせたものである。各パネル基板２３ａ・２３ｂの表面には、電極が形成されており、電極形成面が対向するように、パネル基板２３ａ・２３ｂが貼り合わされている。
【００４３】
外側のパネル基板２３ａを押圧してパネル基板２３ａ・２３ｂの各電極を接触させ、導通させることにより、押圧位置に応じた所定の信号を得ることができる。したがって、この信号に基づいて、表示用液晶パネル２２の表示画面を変える構成とすることができる。
【００４４】
ここで、表示パネル２１においては、表示用液晶パネル２２を構成する一方のパネル基板２３ａと、タッチパネル２３を構成する一方のパネル基板２２ｂとが、他のパネル基板（ここではパネル基板２３ｂ・２２ａ）を介して、パネル基板２３ａ・２２ｂ間に所定の間隙が形成されるように対向配置されている。
【００４５】
これにより、表示パネル２１の上記間隙にケース１１の嵌合部１２を嵌合させれば、表示パネル２１をケース１１に収容することができ、表示パネル２１を傾けて嵌合部１２の上記間隙への嵌合を解除すれば、ケース１１の上面の開口部から表示パネル２１を取り出すことができる。したがって、タッチパネル式の表示パネル２１を用いた場合でも、表示パネル２を用いた場合と同様の効果を得ることができる。
【００４６】
なお、表示パネル２１の各パネル基板の貼り合わせ方は、上記に限定されない。例えば、パネル基板２３ａ・２２ａ間や、パネル基板２３ｂ・２２ｂ間に、嵌合部１２が嵌合する上記間隙が形成されるように、表示パネル２１の各パネル基板を貼り合わせてもよい。
【００４７】
したがって、表示パネル２１を構成する２枚のパネル基板は、当該２枚のパネル基板間に所定の間隙が形成されるように、少なくとも１枚のパネル基板を介して貼り合わされていてもよいと言うことができる。
【００４８】
また、本発明は、上記の他にも、液晶パネルを積層した積層型液晶表示素子（例えばゲスト・ホスト型液晶表示素子）など、パネル基板を３枚以上有する表示パネルにも適用することができる。また、液晶以外の表示素子であっても、基板を３枚以上有して構成されるものであれば、本発明を適用することは可能である。
【００４９】
以上で説明した本発明の表示装置は、以下のように表現することもできる。
【００５０】
本発明の表示装置は、少なくとも表示パネルと駆動素子とを含む表示モジュールと、ケースとを備えた表示装置において、表示パネルはパネル基板を３枚以上有して構成され、左右、上下どちらかの１側面のパネル基板間に隙間があり、上記隙間にケースの凸部（嵌合部）を１箇所以上で嵌合させて、表示モジュールとケースとを固定する構成である。
【００５１】
本発明の表示装置は、上記の構成において、表示パネルとケースとを嵌合させた反対側において、接着部材で表示パネルとケースとを接着固定した構成である。
【００５２】
本発明の表示装置は、上記の構成において、表示パネルは、表示用液晶パネルと、視差バリア用基板と、スイッチング用液晶パネルとを積層した３Ｄ表示用液晶表示パネルである構成である。
【００５３】
本発明の表示装置は、上記の構成において、表示パネルは、表示用パネルと、タッチパネルとを積層した入力一体型表示パネルである構成である。
【産業上の利用可能性】
【００５４】
本発明は、小型でありながら大画面化（狭額縁化）を図る必要のある携帯電話等の携帯電子機器等に利用可能である。
【図面の簡単な説明】
【００５５】
【図１】本発明の実施の一形態に係る表示装置の概略の構成を示す断面図であって、（ａ）は、図５のＢ部の詳細な構成を示す断面図であり、（ｂ）は、図５のＣ部の詳細な構成を示す断面図である。
【図２】上記表示装置の概略の構成を示す分解斜視図である。
【図３】上記表示装置の平面図である。
【図４】上記表示装置の表示パネルの概略の構成を示す断面図である。
【図５】図２に示す表示装置におけるＡ−Ａ’線矢視断面図である。
【図６】上記表示装置の他の構成例を示す断面図である。
【図７】従来の表示装置の概略の構成を示す斜視図である。
【符号の説明】
【００５６】
２    表示パネル
４    表示用液晶パネル
４ａ  パネル基板
４ｂ  パネル基板
５    視差バリア用基板
５ａ  パネル基板
６    スイッチング用液晶パネル
６ａ  パネル基板
６ｂ  パネル基板
１１    ケース
１２    嵌合部
２１    表示パネル
２２    表示用液晶パネル
２２ａ  パネル基板
２２ｂ  パネル基板
２３    タッチパネル
２３ａ  パネル基板
２３ｂ  パネル基板
【図１】
2005077551.tif 000003
【図２】
2005077551.tif 000004
【図３】
2005077551.tif 000005
【図４】
2005077551.tif 000006
【図５】
2005077551.tif 000007
【図６】
2005077551.tif 000008
【図７】
2005077551.tif 000009